(57)【特許請求の範囲】
【請求項１】
ボルトの角頭部又はナットに套嵌される悪事防止用のカバーであって、
このカバーを、ボルトの角頭部又はナットの座面に設けられる座金、板等の係止部材と、この係止部材に喰込み係止されるロック部材と、このロック部材をボルトの軸方向に揺動するカバー本体で構成してなり、
このカバーのカバー本体と前記ボルトの角頭部又はナットの隙間を狭める当該カバーの回転操作により、前記ロック部材を揺動し、このロック部材の爪片を前記係止部材に喰込み係止することを特徴とするボルトの角頭部又はナットに套嵌される悪事防止用のカバー。
【請求項２】
上記ロック部材を、数個の爪片と、この爪片を連結するリングで構成した請求項１に記載のボルトの角頭部又はナットに套嵌される悪事防止用のカバー。
【請求項３】
上記係止部材とベース又は連結部材の間にスペーサを介在する構成とした請求項１に記載のボルトの角頭部又はナットに套嵌される悪事防止用のカバー。
【請求項４】
上記係止部材を、スプリング座金で構成した請求項１に記載のボルトの角頭部又はナットに套嵌される悪事防止用のカバー。
【発明の詳細な説明】
【０００１】
【発明の属する技術分野】
本発明は、ボルトの角頭部又はナットに套嵌される悪事防止用のカバーに関する。
【０００２】
【従来の技術】
従来、鉄塔、建造物、建築物、構造物等の各種の建物、又は各種交通機関等に使用されているボルト及びナットの取外し、妨害等の如く、犯罪に直結する事件（悪事）が頻発している。しかし、この悪事防止に役立つボルト及びナットの商品（製品）及び文献は少ないことから、その改良が望まれている。
【０００３】
尚、前記悪事防止の一般的な方策としては、このボルト及びナットを溶接で固定する手段（溶接固定）がある。しかし、溶接固定の場合は、溶接機器を要することから、例えば、場所的な制限、条件的な制限、均一な精度が図れない等の点において問題を残す処である。従って、溶接固定の問題を解消し、悪事・弛緩防止に役立つ、ボルト及びナットの構造、及び構造的に確立された技術が要望されている。
【０００４】
上記の要望に鑑み、その改良を技術文献でみると、次のような文献がある。(1)特開平9-137820号のボルトの封印装置及びその使用方法であり、ボルトに噛合した第２の締付ナットの外凹溝と、封印キャップの内凹溝の間にＣリングを設け、このＣリングを内外凹溝に差し渡し設けることにより、当該封印キャップの脱抜防止を図る。(2)特開平7-63211号の緩み止めシールナットであり、めねじを有する金属ナットの螺軸部に、前記めねじの内径とほぼ同径のねじなし袋穴を設けた樹脂部材を套嵌し、この樹脂部材には金属ナットの前端に位置する環状突起を形成するとともに前方へ拡がる皿形のシール部を設けた構成であり、ナットの防錆効果と、このナットの弛緩防止を図る。(3)実開平5-96531号の緩み止めナットであり、ナットに弾性補強板を埋設し、当該ナットの螺入で前記弾性補強板の先端をボルトの螺軸部に圧接する構成であり、弛緩防止を図る。
【０００５】
【発明が解決しようとする課題】
前記文献(1)〜(3)は、在来のロックナットに弛緩防止手段を設けるので、ナットの弛緩防止に役立つ構成となっている。このように単一の弛緩防止手段であるが故に、弛緩防止には役立つ反面、悪事に対しては必ずしも有効でないと思われる。
【０００６】
以下、理由を述べる。：理由１は、文献(1)では、締付ナットと封印キャップが同調することから、当該封印キャップを強制的に回すと、同時に締付ナットも脱抜される（取外される）虞れがある。また文献(2)、(3)では、ナットそのものが露呈されていることから、スパナー等の締付具により簡易に脱抜される虞れがある。：理由２は、文献(1)では封印キャップの形状が締付ナットの形状になり、悪事に利用される虞があること、又は文献(2)、(3)は、前述と同様な虞れがある。
【０００７】
【課題を解決するための手段】
請求項１の発明は、カバーをボルトの角頭部又はナットに套嵌した後、このカバーを回転することにより、確実かつ瞬時にロックできることと、一度ロックすると外れないボルトの角頭部又はナットに套嵌される悪事防止用のカバーを提供する。
【０００８】
請求項１は、ボルトの角頭部又はナットに套嵌される悪事防止用のカバーであって、
このカバーを、ボルトの角頭部又はナットの座面に設けられる座金、板等の係止部材と、この係止部材に喰込み係止されるロック部材と、このロック部材をボルトの軸方向に揺動するカバー本体で構成してなり、
このカバーのカバー本体と前記ボルトの角頭部又はナットの隙間を狭める当該カバーの回転操作により、前記ロック部材を揺動し、このロック部材の爪片を前記係止部材に喰込み係止することを特徴とする。
【０００９】
請求項２の発明は、ボルトの角頭部又はナットに套嵌される悪事防止用のカバーであって、このカバーをボルトの角頭部又はナットに套嵌した後、このカバーを回転することにより、確実かつ瞬時にロックできるロック部材を提供する。
【００１０】
請求項２は、ロック部材を、数個の爪片と、この爪片を連結するリングで構成する。
【００１１】
請求項３の発明は、ボルトの角頭部又はナットに套嵌される悪事防止用のカバーであって、係止部材に確実に喰込み係止できるロック部材を提供する。
【００１２】
請求項３は、係止部材とベース又は連結部材の間にスペーサを介在する構成である。
【００１３】
請求項４の発明は、ボルトの角頭部又はナットに套嵌される悪事防止用のカバーであって、このカバーをボルトの角頭部又はナットに套嵌した後、このカバーを回転することにより、確実かつ瞬時にロックできる係止部材を提供する。
【００１４】
請求項４は、係止部材を、スプリング座金で構成する。
【００１５】
【発明の実施の形態】
図１、図２の如く、鉄塔、構造物等のベースに連結部材を添接し、このベース及び連結部材に係止部材及びスペーサを介在してボルトを貫通し、このボルトの螺軸部に係止部材及びスペーサを介在してナットを螺入して、当該ベース及び連結部材を緊締した状態において、カバーのロック部材の数個の爪片（各爪片とする）を、カバー本体とボルトの角頭部又はナットで形成される大きい隙間（カバー本体とボルトの角頭部の頭谷面又はカバー本体とナットの谷面）に挿入するようにして、当該カバーを角頭部又はナットに套嵌する。この操作により、各爪片は大きい隙間に挿入されており、かつ各爪片の爪側は係止部材の内側に位置する（爪側はスペーサの周面に位置する。）が、この爪側と係止部材とはロックされておらず、所謂、ロック部材は開放された状態である。
【００１６】
以上のロック部材が開放された状態から、図３、図４の如く、カバーを何れかの方向に回転すると、各爪片は頭谷面又は谷面から頭角面又は角面に向かって移動される。この移動に伴って、前記の大きい隙間から、小さい隙間へと変わるとともに、各爪片の尻側が押し上げられる。この各爪片の爪側が押し下げられる。即ち、各爪片が揺動する。この各爪片の揺動により、当該爪側が係止部材の内側に係止(喰込み係止)される。所謂、カバーがボルトの角頭部・係止部材又はナット・係止部材に套嵌されるとともに、カバーの各爪片がボルトの係止部材又はナットの係止部材に係止される（即ち、カバーがボルトの角頭部・係止部材又はナット・係止部材に套嵌・係止される）。
【００１７】
このような操作及び手順により、カバーがボルトの角頭部・係止部材又はナット・係止部材に套嵌・係止されると、カバーをいくら回しても、空回りするのみで、前記の喰込み係止の関係は解除できない。従って、螺着されているボルト又はナットは外れない。即ち、悪事防止に役立つ構成である。
【００１８】
【実施例】
以下、本発明の一実施例を図面を参照として説明する。
【００１９】
１はボルトＡの角頭部Ａ１又はナットＢ「尚、ナットＢに使用した場合の例は、後述する。」に套嵌される悪事防止用のカバーで、このカバー１は、前記角頭部Ａ１の座面Ａ２に当接される座金２（係止部材に相当する。）と、この座金２とベースＸとの間に介在され、かつこの座金２とベースＸ間に空間を形成するスペーサ３と、前記座金２に喰込み係止される数個の爪片４１１及びこの各爪片４１１を連結するリング４１２とでなるロック部材４と、前記座金２及びロック部材４が設けられる前記ボルトＡの角頭部Ａ１に套嵌されるカバー本体５で構成される。このカバー１は、前述の如く、ボルトＡの角頭部Ａ１に套嵌されるとともに、所定角度回転することにより、座金２にロック部材４が係止される構造である。
【００２０】
尚、前記ナットＢに套嵌される悪事防止用のカバーでは、このカバー１は、ナットＢの座面Ｂ２に当接される座金２と、この座金２と連結部材Ｙとの間に介在され、かつこの座金２と連結部材Ｙ間に空間を形成するスペーサ３ａと、前記座金２に喰込み係止される数個の爪片４１１及びこの各爪片４１１を連結するリング４１２とでなるロック部材４と、前記座金２及びロック部材４が設けられる前記ナットＢに套嵌されるカバー本体５で構成される。このカバー１は、前述の如く、ナットＢに套嵌されるとともに、所定角度回転することにより、座金２にロック部材４が係止される構造である。
【００２１】
【００２２】
前記ロック部材４を構成する各爪片４１１は、ボルトＡの角頭部Ａ１の頭谷面Ａ３から頭角面Ａ４に向かって移動される。この移動に伴って、前記の大きい隙間Ｈから、小さい隙間Ｈ１へと変わるとともに、各爪片４１１の尻側４１１ｂが押し上げられる。この各爪片４１１の爪側４１１ａが押し下げられる。即ち、各爪片４１１が揺動する。この各爪片４１１の揺動により、当該爪側４１１ａが座金２の内側に係止される。カバー１がボルトＡの角頭部Ａ１・座金２に套嵌されるとともに、カバー１の各爪片４１１がボルトＡの座金２に係止される。また前記ロック部材４を構成する各爪片４１１は、ナットＢの谷面Ｂ３から角面Ｂ４に向かって移動される。この移動に伴って、前記の大きい隙間Ｈから、小さい隙間Ｈ１へと変わるとともに、各爪片４１１の尻側４１１ｂが押し上げられる。この各爪片４１１の爪側４１１ａが押し下げられる。即ち、各爪片４１１が揺動する。この各爪片４１１の揺動により、当該爪側４１１ａが座金２の内側に係止される。カバー１がナットＢ・座金２に套嵌されるとともに、カバー１の各爪片４１１がナットＢの座金２に係止される。
【００２３】
【発明の効果】
請求項１の発明は、悪事防止用のカバーは、ボルトの角頭部又はナットの座面に設けられる係止部材と、この係止部材に喰込み係止するロック部材と、このロック部材をボルトの軸方向に揺動するカバー本体でなり、このカバーの回転操作により、ロック部材を揺動し、このロック部材の爪片を係止部材に喰込み係止することを特徴とする。従って、カバーをボルトの角頭部又はナットに套嵌した後、このカバーを回転することにより、この悪事防止用のカバーは、ボルト又はナットに確実かつ瞬時にロックされる。また一度ロックすると外れない悪事防止用のカバーを提供できる。
【００２４】
請求項２の発明は、ロック部材を、数個の爪片と、この爪片を連結するリングで構成する。従って、悪事防止用のカバーをボルトの角頭部又はナットに套嵌した後、このカバーを回転することにより、この悪事防止用のカバーは、各爪片を介してボルト又はナットに確実かつ瞬時にロックされる。また一度ロックすると外れない悪事防止用のカバーを提供できる。
【００２５】
請求項３の発明は、座金とベース又は連結部材の間にスペーサを介在する構成である。従って、悪事防止用のカバーをボルトの角頭部又はナットに套嵌した後、このカバーを回転することにより、この悪事防止用のカバーは、スペーサ及び各爪片を介してボルト又はナットに確実かつ瞬時に係止できる。また座金に確実に喰込み係止できる悪事防止用のカバーを提供できる。
【００２６】
請求項４の発明は、座金を、スプリング座金で構成する。従って、ボルトの角頭部又はナットに套嵌される悪事防止用のカバーであって、このカバーをボルトの角頭部又はナットに套嵌した後、このカバーを回転することにより、この悪事防止用のカバーは、各爪片とスプリング座金との係止を介してボルト又はナットに確実かつ瞬時に係止できる。また座金の弾性及び確実な係止を利用した悪事防止用のカバーを提供できる。
【図面の簡単な説明】
【図１】使用状態を示し、かつ係止部材が開放された状態を示す断面図である。
【図２】図１のイ−イの横断面図である。
【図３】図１のロ−ロの横断面図である。
【図４】図１の他の例のイ−イの横断面図である。
【図５】使用状態を示し、かつ係止部材がロックされた状態を示す断面図である。
【図６】図５の横断面図である。
【図７】鉄塔に使用した状態の要部縮尺模式図である。
【符号の説明】
１          カバー
２          座金
３          スペーサ
３ａ        スペーサ
４          ロック部材
４１１      爪片
４１１ａ    爪側
４１１ｂ    尻側
４１２      リング
５          カバー本体
Ａ          ボルト
Ａ１        角頭部
Ａ２        座面
Ａ３        頭谷面
Ａ４        頭角面
Ｂ          ナット
Ｂ２        座面
Ｂ３        谷面
Ｂ４        角面
Ｈ          大きい隙間
Ｈ１        小さい隙間
Ｘ          ベース
Ｙ          連結部材
【図１】
0003583616.tif 000002
【図２】
0003583616.tif 000003
【図３】
0003583616.tif 000004
【図４】
0003583616.tif 000005
【図５】
0003583616.tif 000006
【図６】
0003583616.tif 000007
【図７】
0003583616.tif 000008